【手続補正書】
【提出日】平成17年6月8日(2005.6.8)
【手続補正１】
【補正対象書類名】明細書
【補正対象項目名】発明の名称
【補正方法】変更
【補正の内容】
【発明の名称】電波受信装置、電波受信回路、及び電波時計
【手続補正２】
【補正対象書類名】明細書
【補正対象項目名】特許請求の範囲
【補正方法】変更
【補正の内容】
【特許請求の範囲】
【請求項１】
周波数の異なる複数の電波信号を受信し、この受信した電波信号を電気信号に変換し出力する電波受信手段と、
単一周波数の信号を出力する発振手段と、
前記電波受信手段より出力された電気信号と前記発振手段より出力された信号とを合成して、中間周波数信号を出力する周波数変換手段と、
この周波数変換手段から出力された前記中間周波数信号を復調する検波手段と、
を備え、
前記周波数変換手段は、前記電波受信手段で受信した周波数の異なる複数の電波信号のうちの一つの信号と前記発振手段から出力された単一周波数の信号とを合成して周波数の固定的な前記中間周波数信号を出力することを特徴とする電波受信装置。
【請求項２】
前記発振手段は、前記電波受信手段で受信した複数の電波信号の夫々の周波数の相加平均と差分の平均とのいずれか一方の周波数となる信号を出力することを特徴とする請求項１記載の電波受信装置。
【請求項３】
周波数の異なる第１の電波及び第２の電波を受信可能であり、受信した前記第1の電波及び第２の電波を電気信号に変換することにより、当該第１の電波又は前記第２の電波の電気信号を出力する電波受信手段と、
この電波受信手段から出力された前記第１の電波及び前記第２の電波の周波数の相加平均と差分の平均とのいずれか一方の周波数となる信号を出力する発振手段と、
前記電波受信手段より出力された電気信号と前記発振手段より出力された信号とを合成して、中間周波数信号を出力する周波数変換手段と、
この周波数変換手段から出力された前記中間周波数信号を復調する検波手段と、
を備えることを特徴とする電波受信装置。
【請求項４】
前記発振手段は前記第１の電波及び前記第２の電波の周波数の相加平均と差分の平均とのいずれか一方の周波数となる信号を逓倍或いは分周して出力し、
前記検波手段は前記発振手段による逓倍或いは分周前の前記信号を入力して同期検波方式によって前記中間周波数信号を復調することを特徴とする請求項３に記載の電波受信装置。
【請求項５】
前記発振手段は前記第１の電波及び前記第２の電波の周波数の相加平均と差分の平均とのいずれか一方の周波数となる信号を出力し、
前記検波手段は前記発振手段により出力された信号を逓倍或いは分周した後の信号を入力して同期検波方式によって前記中間周波数信号を復調することを特徴とする請求項３に記載の電波受信装置。
【請求項６】
時刻情報を含む周波数の異なる複数の電波信号を受信し、この受信した電波信号を電気信号に変換し出力する電波受信手段と、
単一周波数の信号を出力する発振手段と、
前記電波受信手段で受信した周波数の異なる複数の電波信号のうちの一つの信号と前記発振手段から出力された単一周波数の信号とを合成して周波数の固定的な中間周波数信号を出力する周波数変換手段と、
この周波数変換手段から出力された前記中間周波数信号を復調する検波手段と、
この検波手段によって復調された信号に基づいて前記電波受信手段から出力された電気信号に含まれる時刻情報を抽出して標準タイムコードを生成する時刻情報生成手段と、
現在時刻を計時する時刻計時手段と、
前記時刻情報生成手段によって生成された標準タイムコードに基づいて前記時刻計時手段で計時される現在時刻を修正する修正手段と、
を備えることを特徴とする電波時計。
【請求項７】
周波数の異なる複数の電波信号を受信し、この受信した電波信号を電気信号に変換し出力する電波受信回路と、
単一周波数の信号を出力する発振回路と、
前記電波受信回路より出力された電気信号と前記発振回路より出力された信号とを合成して、中間周波数信号を出力する周波数変換回路と、
この周波数変換回路から出力された前記中間周波数信号を復調する検波回路と、
を備え、
前記周波数変換回路は、前記電波受信回路で受信した周波数の異なる複数の電波信号のうちの一つの信号と前記発振回路から出力された単一周波数の信号とを合成して周波数の固定的な前記中間周波数信号を出力することを特徴とする電波受信回路。
【請求項８】
前記発振回路は、前記電波受信回路で受信した複数の電波信号の夫々の周波数の相加平均と差分の平均とのいずれか一方の周波数となる信号を出力することを特徴とする請求項７記載の電波受信回路。
【請求項９】
周波数の異なる第１の電波及び第２の電波を受信可能であり、受信した前記第1の電波及び第２の電波を電気信号に変換することにより、前記第１の電波又は前記第２の電波の電気信号を出力する電波受信回路と、
この電波受信回路から出力された前記第１の電波及び前記第２の電波の周波数の相加平均と差分の平均とのいずれか一方の周波数となる信号を出力する発振回路と、
前記電波受信回路より出力された電気信号と前記発振回路より出力された信号とを合成して、中間周波数信号を出力する周波数変換回路と、
この周波数変換回路から出力された前記中間周波数信号を復調する検波回路と、
を備えることを特徴とする電波受信回路。
【請求項１０】
前記発振回路は前記第１の電波及び前記第２の電波の周波数の相加平均と差分の平均とのいずれか一方の周波数となる信号を逓倍或いは分周して出力し、
前記検波回路は前記発振回路による逓倍或いは分周前の前記信号を入力して同期検波方式によって前記中間周波数信号を復調することを特徴とする請求項９に記載の電波受信回路。
【請求項１１】
前記発振回路は前記第１の電波及び前記第２の電波の周波数の相加平均と差分の平均とのいずれか一方の周波数となる信号を出力し、
前記検波回路は前記発振回路により出力された信号を逓倍或いは分周した後の信号を入力して同期検波方式によって前記中間周波数信号を復調することを特徴とする請求項９に記載の電波受信回路。
【手続補正３】
【補正対象書類名】明細書
【補正対象項目名】０００１
【補正方法】変更
【補正の内容】
【０００１】
【発明の属する技術分野】
本発明は、電波受信装置、電波受信回路、及び電波時計に関するものである。
【手続補正４】
【補正対象書類名】明細書
【補正対象項目名】０００５
【補正方法】変更
【補正の内容】
【０００５】
本発明の目的は、受信回路構成が複雑化することなく、簡単な構成で、且つ、消費電力も節約することができる多周波受信が可能な電波受信装置、電波受信回路、及び電波時計を提供することである。
【手続補正５】
【補正対象書類名】明細書
【補正対象項目名】０００６
【補正方法】変更
【補正の内容】
【０００６】
【課題を解決するための手段】
以上の課題を解決するために、請求項１に記載の発明の電波受信装置は、周波数の異なる複数の電波信号を受信し、この受信した電波信号を電気信号に変換し出力する電波受信手段（例えば、図２のアンテナ１及び周波数選択回路２）と、単一周波数の信号を出力する発振手段（例えば、図２の局部発振回路５）と、前記電波受信手段より出力された電気信号と前記発振手段より出力された信号とを合成して、中間周波数信号を出力する周波数変換手段（例えば、図２の周波数変換回路４）と、この周波数変換手段から出力された前記中間周波数信号を復調する検波手段（例えば、図２の検波回路８）とを備え、前記周波数変換手段は、前記電波受信手段で受信した周波数の異なる複数の電波信号のうちの一つの信号と前記発振手段から出力された単一周波数の信号とを合成して周波数の固定的な前記中間周波数信号を出力することを特徴している。
また、請求項７に記載の発明の電波受信回路は、周波数の異なる複数の電波信号を受信し、この受信した電波信号を電気信号に変換し出力する電波受信回路（例えば、図２のアンテナ１及び周波数選択回路２）と、単一周波数の信号を出力する発振回路（例えば、図２の局部発振回路５）と、前記電波受信回路より出力された電気信号と前記発振回路より出力された信号とを合成して、中間周波数信号を出力する周波数変換回路（例えば、図２の周波数変換回路４）と、この周波数変換回路から出力された前記中間周波数信号を復調する検波回路（例えば、図２の検波回路８）とを備え、前記周波数変換回路は、前記電波受信回路で受信した周波数の異なる複数の電波信号のうちの一つの信号と前記発振回路から出力された単一周波数の信号とを合成して周波数の固定的な前記中間周波数信号を出力することを特徴している。
【手続補正６】
【補正対象書類名】明細書
【補正対象項目名】０００７
【補正方法】変更
【補正の内容】
【０００７】
この請求項１及び請求項７に記載の発明によれば、異なる周波数の電波を受信しても、発振手段又は発振回路から出力する信号を一定として、周波数の固定的な中間周波数信号を出力することができる。
これにより、受信した電波の周波数に応じて発振手段又は発振回路から出力する信号の周波数を変化させる為の複雑な回路等が不要となる。即ち、回路の複雑化を防ぎ、回路数を削減することにより、回路面積の縮小、コストの削減等を図ることができる。
【手続補正７】
【補正対象書類名】明細書
【補正対象項目名】０００８
【補正方法】変更
【補正の内容】
【０００８】
また請求項２に記載の発明は、請求項１に記載の電波受信装置であって、前記発振手段は、前記電波受信手段で受信した複数の電波信号の夫々の周波数の相加平均と差分の平均とのいずれか一方の周波数となる信号を出力することを特徴としている。
また、請求項８に記載の発明は、請求項７に記載の電波受信回路であって、前記発振回路は、前記電波受信回路で受信した複数の電波信号の夫々の周波数の相加平均と差分の平均とのいずれか一方の周波数となる信号を出力することを特徴としている。
【手続補正８】
【補正対象書類名】明細書
【補正対象項目名】０００９
【補正方法】変更
【補正の内容】
【０００９】
この請求項２及び請求項８に記載の発明によれば、発振手段又は発振回路から出力する信号の周波数を、複数の電波信号の夫々の周波数の相加平均と差分の平均とのいずれか一方の周波数とすることにより、２つの異なる周波数の電波が受信可能となる。
【手続補正９】
【補正対象書類名】明細書
【補正対象項目名】００１０
【補正方法】変更
【補正の内容】
【００１０】
請求項３に記載の発明の電波受信装置は、周波数の異なる第１の電波及び第２の電波を受信可能であり、受信した前記第１の電波及び第２の電波を電気信号に変換することにより、当該第１の電波又は前記第２の電波の電気信号を出力する電波受信手段（例えば、図２のアンテナ１及び周波数選択回路２）と、この電波受信手段から出力された前記第１の電波及び前記第２の電波の周波数の相加平均と差分の平均とのいずれか一方の周波数となる信号を出力する発振手段（例えば、図２の局部発振回路５）と、前記電波受信手段より出力された電気信号と前記発振手段より出力された信号とを合成して、中間周波数信号を出力する周波数変換手段（例えば、図２の周波数変換回路４）と、この周波数変換手段から出力された前記中間周波数信号を復調する検波手段（例えば、図２の検波回路８）とを備えることを特徴としている。
また、請求項９に記載の発明の電波受信回路は、周波数の異なる第１の電波及び第２の電波を受信可能であり、受信した前記第１の電波及び第２の電波を電気信号に変換することにより、当該第１の電波又は前記第２の電波の電気信号を出力する電波受信回路（例えば、図２のアンテナ１及び周波数選択回路２）と、この電波受信回路から出力された前記第１の電波及び前記第２の電波の周波数の相加平均と差分の平均とのいずれか一方の周波数となる信号を出力する発振回路（例えば、図２の局部発振回路５）と、前記電波受信回路より出力された電気信号と前記発振回路より出力された信号とを合成して、中間周波数信号を出力する周波数変換回路（例えば、図２の周波数変換回路４）と、この周波数変換回路から出力された前記中間周波数信号を復調する検波回路（例えば、図２の検波回路８）とを備えることを特徴としている。
【手続補正１０】
【補正対象書類名】明細書
【補正対象項目名】００１１
【補正方法】変更
【補正の内容】
【００１１】
この請求項３に記載の発明によれば、発振手段から出力される信号の周波数を一定として、２周波の電波を受信可能な電波受信装置を実現できる。
これにより、受信した電波の周波数に応じて発振手段から出力される信号の周波数を変化させるための複雑な回路等を必要としない。即ち、回路の複雑化を防ぎ、回路数を削減できることにより、回路面積の縮小、コストの削減等を図ることができる。
また請求項９に記載の発明によれば、発振回路から出力される信号の周波数を一定として、２周波の電波を受信可能な電波受信回路を実現できる。
これにより、受信した電波の周波数に応じて発振回路から出力される信号の周波数を変化させるための複雑な回路を必要としない。即ち、回路の複雑化を防ぎ、回路数を削減できることにより、回路面積の縮小、コストの削減等を図ることができる。
【手続補正１１】
【補正対象書類名】明細書
【補正対象項目名】００１２
【補正方法】変更
【補正の内容】
【００１２】
請求項４に記載の発明は請求項３に記載の電波受信装置であって、前記発振手段は前記第１の電波及び前記第２の電波の周波数の相加平均と差分の平均とのいずれか一方の周波数となる信号を逓倍或いは分周して出力し、前記検波手段は前記発振手段による逓倍或いは分周前の前記信号を入力して同期検波方式によって前記中間周波数信号を復調することを特徴としている。
また、請求項１０に記載の発明は請求項９に記載の電波受信回路であって、前記発振回路は前記第１の電波及び前記第２の電波の周波数の相加平均と差分の平均とのいずれか一方の周波数となる信号を逓倍或いは分周して出力し、前記検波回路は前記発振回路による逓倍或いは分周前の前記信号を入力して同期検波方式によって前記中間周波数信号を復調することを特徴としている。
【手続補正１２】
【補正対象書類名】明細書
【補正対象項目名】００１３
【補正方法】変更
【補正の内容】
【００１３】
また、請求項５に記載の発明は請求項３に記載の電波受信装置であって、前記発振手段は前記第１の電波及び前記第２の電波の周波数の相加平均と差分の平均とのいずれか一方の周波数となる信号を出力し、前記検波手段は前記発振手段により出力された信号を逓倍或いは分周した後の信号を入力して同期検波方式によって前記中間周波数信号を復調することを特徴としている。
更に、請求項１１に記載の発明は請求項９に記載の電波受信回路であって、前記発振回路は前記第１の電波及び前記第２の電波の周波数の相加平均と差分の平均とのいずれか一方の周波数となる信号を出力し、前記検波回路は前記発振回路により出力された信号を逓倍或いは分周した後の信号を入力して同期検波方式によって前記中間周波数信号を復調することを特徴としている。
【手続補正１３】
【補正対象書類名】明細書
【補正対象項目名】００１４
【補正方法】変更
【補正の内容】
【００１４】
この請求項４及び５に記載の発明によれば、１つの発振手段によって周波数変換手段と検波手段とを動作させることができる。従って、周波数変換手段および検波手段の夫々に対応する発振手段を設置する必要がないため、回路数及び回路面積を削減することができる。また、発振手段を共有することにより、例えば、水晶振動子１個で電波受信装置を動作させることができるため、回路動作を安定にすることができ、コストも削減することができる。
また、請求項１０及び１１に記載の発明によれば、１つの発振回路によって周波数変換回路と検波回路とを動作させることができる。従って、周波数変換回路および検波回路の夫々に対応する発振回路を設置する必要がないため、回路数及び回路面積を削減することができる。また、発振回路を共有することにより、例えば、水晶振動子１個で電波受信回路を動作させることができるため、回路動作を安定にすることができ、コストも削減することができる。
【手続補正１４】
【補正対象書類名】明細書
【補正対象項目名】００１５
【補正方法】変更
【補正の内容】
【００１５】
請求項６に記載の発明の電波時計は、時刻情報を含む周波数の異なる複数の電波信号を受信し、この受信した電波信号を電気信号に変換し出力する電波受信手段と、単一周波数の信号を出力する発振手段と、前記電波受信手段で受信した周波数の異なる複数の電波信号のうちの一つの信号と前記発振手段から出力された単一周波数の信号とを合成して周波数の固定的な中間周波数信号を出力する周波数変換手段と、この周波数変換手段から出力された前記中間周波数信号を復調する検波手段と、この検波手段によって復調された信号に基づいて前記電波受信手段から出力された電気信号に含まれる時刻情報を抽出して標準タイムコードを生成する時刻情報生成手段と、現在時刻を計時する時刻計時手段と、前記時刻情報生成手段によって生成された標準タイムコードに基づいて前記時刻計時手段で計時される現在時刻を修正する修正手段とを備えることを特徴としている。
【手続補正１５】
【補正対象書類名】明細書
【補正対象項目名】００１９
【補正方法】変更
【補正の内容】
【００１９】
ＣＰＵ９０１は、所定のタイミング或いは入力部９０２から入力された操作信号等に応じて、ＲＯＭ９０６内に格納された各種プログラムを読み出してＲＡＭ９０５内に展開し、当該プログラムに基づいて各機能部への指示やデータの転送等を行う。特に、ＣＰＵ９０１は、例えば所定時間毎に受信制御部９０７を制御して標準電波の受信処理を実行し、受信制御部９０７から入力された標準タイムコードに基づいて計時回路部９０８で計数される現在時刻データを修正するとともに、当該修正した現在時刻データに基づく表示信号を表示部９０３に出力して表示時刻を更新させる。またＣＰＵ９０１は、標準電波の受信が成功したか否かを判断し、受信制御部９０７に対して選択する信号の周波数を切り替える信号を出力する等の各種制御を行う。
【手続補正１６】
【補正対象書類名】明細書
【補正対象項目名】００２２
【補正方法】変更
【補正の内容】
【００２２】
ＲＡＭ９０５は、ＣＰＵ９０１の制御の下、ＣＰＵ９０１で処理されたデータを記憶するとともに、記憶しているデータをＣＰＵ９０１に出力するために用いられる。ＲＯＭ９０６は、主に、電波時計９００に係るシステムプログラムや、アプリケーションプログラム等を格納している。また本実施の形態においては、周波数切替プログラム９１６を記憶する。周波数切替プログラム９１６は、後述する電波受信装置９１７が備える周波数選択回路２に対して選択する周波数を切り替えさせるプログラムである。
【手続補正１７】
【補正対象書類名】明細書
【補正対象項目名】００７５
【補正方法】変更
【補正の内容】
【００７５】
【発明の効果】
請求項１及び請求項７の発明によれば、異なる周波数の電波を受信しても、発振手段又は発振回路から出力する信号を一定として、周波数の固定的な中間周波数信号を出力することができる。
これにより、受信した電波の周波数に応じて発振手段又は発振回路から出力する信号の周波数を変化させるための複雑な回路等が不要となる。即ち、回路の複雑化を防ぎ、回路数を削減することにより、回路面積の縮小、コストの削減等を図ることができる。
【手続補正１８】
【補正対象書類名】明細書
【補正対象項目名】００７６
【補正方法】変更
【補正の内容】
【００７６】
請求項２及び請求項８に記載の発明によれば、発振手段又は発振回路から出力する信号の周波数を、複数の電波信号の夫々の周波数の相加平均と差分の平均とのいずれか一方の周波数とすることにより、２つの異なる周波数の電波が受信可能となる。
【手続補正１９】
【補正対象書類名】明細書
【補正対象項目名】００７７
【補正方法】変更
【補正の内容】
【００７７】
請求項３に記載の発明によれば、発振手段から出力される信号の周波数を一定として、２周波の電波を受信可能な電波受信装置を実現できる。
これにより、受信した電波の周波数に応じて発振手段から出力される信号の周波数を変化させるための複雑な回路等を必要としない。即ち、回路の複雑化を防ぎ、回路数を削減できることにより、回路面積の縮小、コストの削減等を図ることができる。
また、請求項９に記載の発明によれば、発振回路から出力される信号の周波数を一定として、２周波の電波を受信可能な電波受信回路を実現できる。
これにより、受信した電波の周波数に応じて発振回路から出力される信号の周波数を変化させるための複雑な回路を必要としない。即ち、回路の複雑化を防ぎ、回路数を削減できることにより、回路面積の縮小、コストの削減等を図ることができる。
【手続補正２０】
【補正対象書類名】明細書
【補正対象項目名】００７８
【補正方法】変更
【補正の内容】
【００７８】
請求項４及び５に記載の発明によれば、１つの発振手段によって周波数変換手段と検波手段とを動作させることができる。従って、周波数変換手段および検波手段の夫々に対応する発振手段を設置する必要がないため、回路数及び回路面積を削減することができる。また、発振手段を共有することにより、例えば、水晶振動子１個で電波受信装置を動作させることができるため、回路動作を安定にすることができ、コストも削減することができる。
また、請求項１０及び１１に記載の発明によれば、１つの発振回路によって周波数変換回路と検波回路とを動作させることができる。従って、周波数変換回路および検波回路の夫々に対応する発振回路を設置する必要がないため、回路数及び回路面積を削減することができる。また、発振回路を共有することにより、例えば、水晶振動子１個で電波受信回路を動作させることができるため、回路動作を安定にすることができ、コストも削減することができる。